(57)【要約】【課題】緩衝材本体を直接又はカバー体で被覆し、縫合線又は溶着線からなる屈曲ラインに沿って折曲げ可能として梱包箱に嵌込みうる梱包箱用緩衝材に関する。【解決手段】緩衝材本体に直接又はカバー体と一体に圧縮して縫合した縫合線、又は溶着した溶着線を前記梱包箱の開口部の内周縁形状に沿って屈曲する際の基準線となる屈曲ラインとなし、前記屈曲ラインで囲まれた中央の領域を緩衝本体部とし、該緩衝本体部の屈曲ラインを介して外側の領域を屈曲部とし、該屈曲部を屈曲ラインを基準線として屈曲させて緩衝本体部を物品に押し付けた状態で緩衝材本体を梱包箱内に略隙間無く嵌合し屈曲部と梱包箱の側壁内面との摩擦力で緩衝材本体を拘束しうることを特徴とする。【選択図】図１
0003162425.tif 000002
【実用新案登録請求の範囲】
【請求項１】
梱包箱の開口部の形状より大きい外形に設定されて梱包箱内に収納される物品を保護しうる厚みを有し可撓性及びクッション性を有する緩衝材本体を圧縮して糸で縫合した縫合部又は溶着した溶着部を設け、該縫合部又は溶着部が前記梱包箱の開口部の内周縁形状に沿って屈曲する際の基準線となる屈曲ラインを形成し、
前記屈曲ラインで囲まれた中央の領域を緩衝本体部とし、該緩衝本体部の屈曲ラインを介して外側の領域を屈曲部とし、
該屈曲部を屈曲ラインを基準線として屈曲させて緩衝本体部を物品に押し付けた状態で緩衝材本体を梱包箱内に略隙間無く嵌合し屈曲部と梱包箱の側壁内面との摩擦力で緩衝材本体を拘束しうることを特徴とする梱包箱用緩衝材。
【請求項２】
緩衝材本体がカバー体に覆われた状態で、緩衝材本体とカバー体とが一体に縫合され又は溶着されて屈曲ラインが形成されてなることを特徴とする請求項１に記載の梱包用緩衝材。
【請求項３】
縫合部又は溶着部がライン状に形成されてなることを特徴とする請求項１に記載の梱包用緩衝材。
【請求項４】
縫合部又は溶着部が想定される基準線上に配置された複数の離間した点状に形成されてなることを特徴とする請求項１に記載の梱包用緩衝材。
【請求項５】
１方向の屈曲する際の基準線となる屈曲ラインが複数平行に並列されてなることを特徴とする請求項１又は２に記載の梱包箱用緩衝材。
【請求項６】
基準線が連続若しくは断続する直線若しくは曲線からなっていることを特徴とする請求項１に記載の梱包箱用緩衝材。
【請求項７】
カバー体が緩衝材本体を収納する袋からなっていることを特徴とする請求項２に記載の梱包用緩衝材。
【請求項８】
カバー体が緩衝材本体の表裏に設けられた広面の一方又は双方を覆うシートからなっていることを特徴とする請求項２に記載の梱包用緩衝材。
【請求項９】
屈曲部が、該屈曲部を屈曲ラインに沿って折り曲げた際に梱包箱の内壁面と衝合する個所に、梱包箱の内壁面に対して摩擦力を有するストッパ片を固着してなることを特徴とする請求項１〜８のいずれかに記載の梱包用緩衝材。
【請求項１０】
屈曲部の両面にそれぞれストッパ片を固着し、屈曲部が屈曲ラインに沿って山折り又は谷折りされてもいずれかのストッパ片が梱包箱の内壁面と衝合してストッパとして機能することを特徴とする請求項９に記載の梱包用緩衝材。
【考案の詳細な説明】
【技術分野】
【０００１】
本考案は、簡単な構造で、梱包箱内に収納して繰り返し使用可能な緩衝材の改良に関する。
【背景技術】
【０００２】
この種の梱包箱用緩衝材として、例えば特開２００７−１１２５０９号公報では、梱包箱の開口部の形状より小さく、かつ剛性を有する基材と、前記基材の片面に積層された可撓性の緩衝材とよりなり、前記緩衝材は、外周の少なくとも一部が前記梱包箱の開口部の寸法よりも大にされて前記基材の周縁から外方へ突出し、該突出部分が屈曲可能部とされている構成が知られている。
しかし、上記構成では、種類の異なる基材と緩衝材の二層構造となり、且つ大きさも異なるので構造が複雑となりコストがかかり、また接着部分が剥がれたりするおそれもあった。
【先行技術文献】
【特許文献】
【０００３】
【特許文献１】特開２００７−１１２５０９号公報
【考案の概要】
【考案が解決しようとする課題】
【０００４】
この考案の解決しようとする問題点は、緩衝材を用いた簡単な構造で使用できる梱包箱用緩衝材を提供することにある。
【課題を解決するための手段】
【０００５】
本考案は、ウレタンフォームなどの緩衝材本体をそのまま、又はカバー体で被覆し、該カバー体と緩衝材とを糸で縫合して縫合線を形成し、又は一体に溶着して溶着線を形成し、該縫合線又は溶着線を屈曲基準線としてその外側を折り曲げることができるようにしたことを最も主要な特徴とする。
即ち、請求項１の考案では、
梱包箱の開口部の形状より大きい外形に設定されて梱包箱内に収納される物品を保護しうる厚みを有し可撓性及びクッション性を有する緩衝材本体を圧縮して糸で縫合した縫合線又は溶着した溶着線を前記梱包箱の開口部の内周縁形状に沿って屈曲する際の基準線となる屈曲ラインとなし、
前記屈曲ラインで囲まれた中央の領域を緩衝本体部とし、該緩衝本体部の屈曲ラインを介して外側の領域を屈曲部とし、
該屈曲部を屈曲ラインを基準線として屈曲させて緩衝本体部を物品に押し付けた状態で緩衝材本体を梱包箱内に略隙間無く嵌合し屈曲部と梱包箱の側壁内面との摩擦力で緩衝材本体を拘束しうることを特徴とする。
請求項２の考案では、
前記緩衝材本体がカバー体に覆われた状態で、緩衝材本体とカバー体とが一体に縫合され又は溶着されて屈曲ラインが形成されてなることを特徴とする。
また、請求項３の考案では、
１方向の屈曲する際の基準線となる屈曲ラインが複数平行に並列されてなることを特徴とする。
また、請求項４の考案では、
前記基準線が連続若しくは断続する直線若しくは曲線からなっていることを特徴とする。
更に、請求項５の考案では、
前記カバー体が緩衝材本体の表裏に設けられた広面の一方又は双方を覆うシートからなっていることを特徴とする。
請求項６の考案では、
前記カバー体が緩衝材本体の表裏に設けられた広面の一方又は双方を覆うシートからなっていることを特徴とする。
【考案の効果】
【０００６】
本考案の梱包箱用緩衝材では、物品保護に応じた緩衝性を有する厚みに設定された緩衝材本体をそのままで、又はカバー体で覆い、緩衝材本体を直接、又は緩衝材本体とカバー体とを一体に糸で縫合して縫合線を形成し、又は溶着して溶着線を形成し、この縫合線又は溶着線を梱包箱の開口部の形状に沿って屈曲する際の基準線となる屈曲ラインとするので、構造が簡単で信頼性も高く、且つ廉価であるという利点がある。
また、緩衝材本体はカバー体で覆われるので、カバー体への印刷や、シートの貼付けなどが容易に行うことができる。
【図面の簡単な説明】
【０００７】
【図１】実施例１の梱包箱用緩衝材及び梱包箱の斜視図である。
【図２】梱包箱用緩衝材の使用法を示す断面図である。
【図３】梱包箱用緩衝材が梱包箱の一方向にのみ長く形成された場合の実施例２の梱包箱用緩衝材及び梱包箱の斜視図である。
【図４】（ａ）は緩衝本体部が多角形の場合の梱包箱用緩衝材を示す平面図、（ｂ）は円形の場合の梱包箱用緩衝材を示す平面図である。
【図５】屈曲ラインが多重に並列して選択して屈曲する場合の平面図である。
【図６】（ａ）はカバー体が緩衝材本体の表面を覆う１枚のシートからなる場合の断面図、（ｂ）はカバー体が表裏両面を覆う２枚のシートからなる場合の断面図である。
【図７】縫着線に代えて溶着線を用いた異なる実施例の梱包箱用緩衝材の斜視図である。
【図８】（ａ）は溶着線を一方にのみ設けた場合の一部省略断面図、（ｂ）は梱包箱用緩衝材がカバー体と緩衝材本体とからなる場合の一部省略断面図である。
【図９】（ａ）は実施例１の梱包箱用緩衝材にストッパ片を設けた異なる実施例を示す斜視図、（ｂ）は実施例２の梱包箱用緩衝材にストッパ片を設けた異なる実施例を示す斜視図である。
【図１０】ストッパ片付き梱包箱用緩衝材の使用法を示す断面図である。
【図１１】スポット状の縫合部又は溶着部を設けた梱包箱用緩衝材の斜視図である。
【考案を実施するための形態】
【０００８】
緩衝材本体の屈曲ラインを、カバー体と緩衝材本体とを糸で締め付けて縫合した縫合部又は溶着した溶着部を設けて屈曲ラインを形成し、該屈曲ラインを折り曲げ線として梱包箱に合わせて折り曲げて梱包箱内に嵌合しうるので、成形の容易さや取り扱いや使用上の容易さと共に信頼性の向上を実現した。
以下に、この考案の好適実施例について図面を参照しながら説明する。
【実施例１】
【０００９】
実施例１の梱包箱用緩衝材１は、図１に示すように、段ボールやプラスチック製等からなる梱包箱１０内に嵌め込まれて梱包箱１０内に収納された物品の位置固定及び衝撃からの保護を行うものであり、厚肉のプレート状の緩衝材本体２と、該緩衝材本体２を被覆するカバー体３と、該カバー体３と緩衝材本体２とを糸で締め付けて縫合した縫合線からなる屈曲ライン８とからなっている。
【００１０】
前記梱包箱１０は、本実施例では通い箱を用いたが、適宜用途の物品収納用の箱を用いることができる。
また、梱包箱１０は略直方体形状を例示したが立方体形状、円筒形状、その他の任意の箱形形状であればよい。
【００１１】
前記緩衝材本体２は、物品を保護しうる厚みを有し可撓性及び弾性を有するプレート状のクッション材からなっている。
クッション材の素材は、例えば、ウレタンフォームやゴムスポンジなどのような発泡合成樹脂やエラストマーなどの可撓性及びクッション性を有する材料であればよく、特に限定されない。
【００１２】
この緩衝材本体２は、その外周の少なくとも一組の対向する縦辺又は横辺間の寸法が前記梱包箱１０の開口部１１の寸法よりも長く設定されている。
本実施例では縦辺及び横辺のいずれも長く設定されている。
【００１３】
カバー体３は、天然繊維布や合成繊維、不織布など可撓性を有する各種素材で形成された袋からなっている。
この袋は、緩衝材本体２を略隙間無く嵌合する大きさからなっており、端部に沿って開放された開口部３ａを設け、または中途位置で直線状に延びて開口する開口部（図示せず）を設けている。
【００１４】
このカバー体３の中に緩衝材本体２が嵌め込まれる。
開口部３ａは開放したままでもよいし、又は開口部３ａを係止具や糸で縫合して閉じる構成としてもよい。
図示例の場合は、開口部３ａは開放したままとなっている。
【００１５】
この緩衝材本体２を内蔵したカバー体３からなる梱包箱用緩衝材１は、前記梱包箱１０の内周縁に沿い且つやや内側で対応する個所でカバー体３と緩衝材本体２とを圧縮して糸で縫合し、その縫い目となる縫合線を前記梱包箱１０の開口部の内周縁形状に沿って屈曲する際の基準線となる屈曲ライン８としている。
【００１６】
図示例では、屈曲ライン８は、縦方向に一対のライン８ａ、及び横方向に一対のライン８ｂの合計４本設けられており、各ライン８ａ、８ｂはそれぞれ一方の端部から他方の端部まで延びる貫通ラインとなっている。
【００１７】
そして、各屈曲ライン８ａ、８ｂで囲まれた中央の領域が緩衝本体部４となり、該緩衝本体部４を除いて緩衝本体部４を囲む屈曲ライン８ａ、８ｂを介して外側となる領域が屈曲部５となる。
ここで、前記中央の緩衝本体部４を屈曲部５から仕切る前記屈曲ライン８ａ、８ｂからなる屈曲ライン部分８Ａは、緩衝材本体２の肉厚分だけ開口部１１の内周縁より内側にずれた位置に設定されることが好ましい。
【００１８】
従って、梱包箱用緩衝材１は、上記矩形に囲まれた屈曲ライン部分８Ａを屈曲の際の基準線として機能し、緩衝材本体２の前記屈曲ライン部分８Ａの外側に延びる領域が屈曲部５となる。
【００１９】
前記梱包箱用緩衝材１の耐候性や耐久性を向上させるため、カバー体３の素材に耐候性や耐久性、バリア性を有する素材を用いたり、又はカバー体３の表面に積層フィルムや不織布等の異なる素材を積層したり、表面処理（例えば導電性の含浸処理や防水処理）をすることで、強度や防水性、抗菌性や各種バリア性、導電性等の機能を付加してもよい。
【００２０】
次に、この梱包箱用緩衝材１の使用方法について説明する。
図３に示すように、前記梱包箱１０内に物品Ｇを収容した後、前記梱包箱用緩衝材１を梱包箱１０の上方から開口部１１に押し込む。
その際、前記緩衝材１の前記屈曲ライン部分８Ａから外方へ突出している屈曲部５が、前記屈曲ライン部分８Ａを屈曲基準線として上方へ折れ曲がり、屈曲部５が前記梱包箱１０の内壁面１２に押し付けられて前記梱包箱用緩衝材１が梱包箱１０内に拘束される。
【００２１】
また、前記梱包箱１０内の物品Ｇは、前記梱包箱用緩衝材１の中央の緩衝本体部４で押圧されることにより位置固定され、同時に緩衝本体部４の緩衝性で保護されるため、強圧されても破損するおそれがない。
一方、前記梱包箱用緩衝材１を梱包箱１０から取り出すには、前記上方へ屈曲している屈曲部５の先端部分を掴んで上方へ引っ張る上げることにより、容易に梱包箱用緩衝材１全体を取り出すことができる。
【００２２】
また、梱包箱用緩衝材１は、前記梱包箱１０が折畳式の通い箱の場合に返却時には折り畳んだ梱包箱１０の上面に配置されたり、折り畳んで多段に積み重ねた梱包箱１０間に配置するなどして返却や保管時の梱包箱１０の緩衝材として使用することもできる（図示せず）。
また、前記梱包箱用緩衝材１は、１枚のプレート状からなるため、複数個を積層して保管することもできる。
【実施例２】
【００２３】
図３に示す実施例２の梱包箱用緩衝材１は、縦方向又は横方向で対向する一組の辺の間の寸法のみが前記梱包箱の開口部１１における側壁内面間の寸法より大きく設定された形状からなっている。
【００２４】
この場合、屈曲ライン部分８Ａは２本のみ設けられ、該屈曲ライン部分８Ａで囲まれた内側の領域が緩衝本体部４となり、屈曲ライン部分８Ａの外側の領域が屈曲部５となる。
その他の構成は前記実施例１と同様であるので、その説明を省略する。
【実施例３】
【００２５】
前記各実施例で用いられる梱包箱１０は、前記開口部１１が正方形又は長方形の場合であるが、例えば多角形や円形その他の任意の形状であってもよい。
その場合であっても、前記開口部の断面形状に合わせて屈曲ライン８を形成することで、緩衝本体部４と屈曲部５とを仕切ることができる。
【００２６】
図４（ａ）は開口部の断面形状が多角形の場合、図４（ｂ）は開口部の断面形状が円形状の梱包箱に用いることができる。
この場合の屈曲ライン部分８Ａは直線ではなく、曲線となるが、この考案では屈曲ラインは直線と曲線の組合せ、あるいは曲線と異なる曲線の組合せであってもよい。
【実施例４】
【００２７】
前記実施例１では、１方向における基準線となる屈曲ライン８ａ及び８ｂは１本としたが、平行に複数本（図示例では２本）設けてもよい（図５参照）。
梱包箱１０の開口部１１の寸法が異なる場合には、複数の屈曲ラインの中から開口部１１の内周縁の寸法に対応する個所の屈曲ライン９（説明の便宜上９ａ、９ｂとする。）のみを基準線として選択し、その選択した屈曲ラインの外側を屈曲させることで、１枚の梱包箱用緩衝材１でありながら、開口部１１の寸法の異なる複数の梱包箱１０に用いることもできる。
その他の構成は前記実施例と同様であるので、説明を省略する。
【実施例５】
【００２８】
前記実施例１〜４では、カバー体３として袋形状の場合を示したが、カバー体は、緩衝材本体２の表面又は裏面の一方(図６（ａ）参照）、又は双方(図６（ｂ）参照）を覆うシート３’であってもよい。
また、シート３’の端部には緩衝材本体２の角部や端部に掛止める袋状の掛止部３ｂを設けてもよい(図６（ｃ）参照）。
【００２９】
この場合も、カバー体となるシート３’と緩衝材本体２とは圧縮した状態で糸で縫製するので、屈曲ライン９を形成することができる。
また、シート３’の表面には、印刷や紙の貼付け、その他、フィルムの積層や種々加工を施すことができる点は袋体の場合と同様である。
その他の構成は前記実施例と同様であるので、その説明を省略する。
【００３０】
また、屈曲ライン８は、梱包箱用緩衝材１を貫通するラインを例示したが、例えば屈曲ライン８が縦横に交差する場合に、交差点で止めて、それ以上外側には延びないようにして、緩衝本体部４を囲む屈曲ライン８ａ、８ｂのみからなる無端状の構成としてもよい。
上記実施例では、梱包箱用緩衝材１がカバー体３が緩衝材本体２を覆う構成からなっているが、この考案では、緩衝材本体２を直接縫合してもよい。
【実施例６】
【００３１】
この考案では、屈曲ラインとして溶着構造を用いてもよい。
即ち、図７に示す実施例６の梱包箱用緩衝材１は、緩衝材本体２に直接に溶着線８’を形成した異なる実施例を示す。
【００３２】
即ち、本実施例では、緩衝材本体２に直接に前記実施例１の縫合線と同様に溶着線を形成して屈曲ライン８’としている。
溶着線は、ウレタンフォーム等の熱可塑性樹脂からなるクッション材の所定のライン状の個所を熱によって溶かし、加圧と冷却することで接着させた熱溶着を用いたが、高周波溶着や超音波溶着などであってもよい。
その他の構成は前記実施例と同様であるので、同一構成には同一符号を付して説明を省略する。
【００３３】
図７では、表面と裏面の双方から窪ませた溶着線を屈曲ライン８’としたが、図８（ａ）に示すように、一方側からのみ窪ませた溶着線を屈曲ライン８’としてもよい。
【００３４】
また、溶着線は緩衝材本体２に直接に形成するものであっても、或いはカバー体３と緩衝材本体２とを一体に溶着した溶着線を屈曲ライン８’としてもよい。
この場合、カバー体３は、その素材の全部、又は溶着線形成個所には熱可塑性樹脂が用いられていればよい。
その他の構成、使用法は前記縫着線を屈曲ラインとした場合と同様であるので、その説明を省略する。
【実施例７】
【００３５】
この考案では、屈曲部５には、使用時に梱包箱１０の内壁面１２と衝合する面に滑り止め用のストッパ片２０を固着してもよい。
即ち、屈曲部５は図２に示すように使用時には梱包箱１０の内壁面１２に押圧され衝合するが、屈曲部５の内壁面に対する押圧力が弱いと十分に衝合本体部４を所定位置に保持することができない。
例えば、屈曲ラインの成形誤差や屈曲部に働く弾発力が弱い場合に問題となる。
そこで、屈曲部５が梱包箱の内壁面１２に対して十分な保持力を発揮させるために、ストッパ片２０を用いてもよい。
【００３６】
図９〜図１０に示す梱包箱用緩衝材１は、実施例１及び実施例２の梱包箱用緩衝材１の屈曲部５を屈曲ライン８に沿って折り曲げた際に、梱包箱１０の内壁面１２と衝合する個所に、梱包箱１０の内壁面１２に対して摩擦力を有するストッパ片２０が固着されている。
【００３７】
ここでストッパ片２０は、例えばゴムやエラストマー等の弾性ブロック片を用いたが、緩衝材本体２又はカバー体３の厚みを厚くしたものでもよく、梱包箱１０の内壁面１２に対して高い摩擦力を有して滑り止めとして機能するものであればよい。
また、本実施例ではストッパ片２０として弾性を有するものを用いたが、弾性を有さない素材であってもよい。
【００３８】
ストッパ片２０は、屈曲部５で、使用時に屈曲部５と梱包箱１０の内壁面１２とが衝合する側の面に固定される。
従って、屈曲部５の内壁面１２と衝合する面が特定されている場合には、ストッパ片２０は上記特定された面に固定されればよい。
【００３９】
衝合する面が特定されない場合、即ち、屈曲部５が屈曲ライン８（８ａ又は８ｂ）に沿って山折り又は谷折りのいずれでも使用できる場合には、屈曲部５の両面にそれぞれストッパ片２０を設けておいてもよいし、一方の面だけにストッパ片２０を設けておきストッパ片２０の有無を使い分けてもよい。、
【００４０】
また、摩擦力を高めるためにストッパ片２０の表面に凹凸面などの公知の滑り止め構造を形成してもよい（図９（ｂ）参照）。
その他の構成は、前記実施例の構造と同じであるのでその説明を省略する。
また、前記実施例１、２以外のその他の実施例の屈曲部５にストッパ片２０を設けてもよい。
【実施例８】
【００４１】
縫合部又は溶着部からなる屈曲ラインは、前記実施例のように連続する１本のラインに限らず、ライン上に沿って離間し複数に分割された複数の線の組合せであってもよい。
更に、縫合部又は溶着部は、ラインに代えて、スポット状（点状）に形成されるものでもよい。
【００４２】
図１１に示す梱包箱用緩衝材１は、縫合部又は溶着部が、前記実施例のようにライン状に形成されず、想定されるライン上に配置された複数の離間したスポット状に形成された場合を示す。
即ち、前記実施例１の場合を例に挙げると、縦方向のライン８ａ及び横方向ライン８ｂを規定するため上記ライン上の複数の個所に、スポット状の縫合部又は溶着部８ｃが形成される。
【００４３】
図示例では、図１の縦方向のライン８ａと横方向ライン８ｂの交点に対応する個所にスポット状の縫合部又は溶着部８ｃを形成している。
更に、長手方向の縦方向のライン８ａの略中央に対応する個所にスポット状の縫合部又は溶着部８ｃが形成されている。
【００４４】
これにより、直接に屈曲ライン８は形成されないが、複数のスポット状の縫合部又は溶着部８ｃは、複数（２つ、又は２つ以上）のスポット状の縫合部又は溶着部８ｃを基準点とした屈曲ライン８”を想定し、該想定した屈曲ライン８”に沿って梱包箱用緩衝材１を折り曲げて、緩衝本体部４と屈曲部５とを形成することができる。
また、前記屈曲部５には、実施例７のストッパ片２０を設けてもよい。
その他の構成は前記各実施例に準じるので、その説明を省略する。
【００４５】
上記各実施例の構成の一部は適宜組み合わせて用いてもよい。
また、この考案は上記実施例に限定されるものではなく、その他、要するにこの考案の要旨を変更しない範囲で種々設計変更しうること勿論である。
【符号の説明】
【００４６】
１    梱包箱用緩衝材
２    緩衝材本体
３    カバー体
４    緩衝本体部
５    屈曲部
６    中空孔
８    縫合線の屈曲ライン
８’  溶着線の屈曲ライン
８”  想定される屈曲ライン
８ａ、８ｂ  屈曲ライン
８ｃ  スポット状の縫合部又は溶着部
８Ａ  緩衝材本体を囲む屈曲ライン部分
９    複数設けられた際の屈曲ライン
１０    梱包箱
１１    開口部
１２    内壁面
２０    ストッパ片
【図１】
0003162425.tif 000003
【図２】
0003162425.tif 000004
【図３】
0003162425.tif 000005
【図４】
0003162425.tif 000006
【図５】
0003162425.tif 000007
【図６】
0003162425.tif 000008
【図７】
0003162425.tif 000009
【図８】
0003162425.tif 000010
【図９】
0003162425.tif 000011
【図１０】
0003162425.tif 000012
【図１１】
0003162425.tif 000013